(57)【要約】【課題】  テーパ状ポールを鉛直方向に立設するための鉛直確認線を、容易かつ正確に記すことができるテーパ状ポールの鉛直確認線記入方法と鉛直確認線記入治具を提供する。【解決手段】  側面がテーパ状に形成されたテーパ状ポール２の立設状態を確認するための鉛直確認線５を記入する治具であって、テーパ状ポール２に対する位置を一定にする重錘２６と、重錘２６の位置を確認する鉛直確認孔２８と、テーパ状ポール２が挿通される挟着孔２０を有した板体１８から成る。板体１８は、分割可能に設けられ、鉛直確認線５を記入するための目印として、互いに直角に位置した直交線３０を備える。【選択図】図１
2006071578.tif 000002
【特許請求の範囲】
【請求項１】
側面がテーパ状に形成されたテーパ状ポールの立設状態を確認する鉛直確認線記入方法において、前記テーパ状ポールの位置を固定した状態で、鉛直確認線記入治具を用いて鉛直確認線を前記テーパ状ポールの側面に記し、前記テーパ状ポールに対して前記鉛直確認線記入治具の位置関係を一定にして、前記テーパ状ポールの側面の他の位置に、前記鉛直確認線と直線上に位置した他の鉛直確認線を描くことを特徴とするテーパ状ポールの鉛直確認線記入方法。
【請求項２】
側面がテーパ状に形成されたテーパ状ポールの立設状態を確認するための鉛直確認線を記入する治具において、前記テーパ状ポールに対する位置を一定にする位置設定手段と、前記テーパ状ポールが挿通される挟着孔と、鉛直確認線を記入するための目印とを備え、前記テーパ状ポールに対して前記位置設定手段により位置関係を一定にして、前記テーパ状ポールの側面の他の位置にも、前記鉛直確認線と直線上に位置した他の鉛直確認線を描くことができるようにしたことを特徴とするテーパ状ポールの鉛直確認線記入治具。
【請求項３】
前記テーパ状ポールに対する位置を一定にする位置設定手段は、前記鉛直確認線記入治具に設けられた重錘とこの重錘の位置の確認部であり、前記鉛直確認線を記入するための目印は、前記挟着孔が形成された板体に設けられ互いに直角に位置した直交線であり、前記板体は分割可能であることを特徴とする請求項２記載のテーパ状ポールの鉛直確認線記入治具。
【請求項４】
前記鉛直確認線記入治具は、一対のＬ型器具を互いに直交するように配置し、一方のＬ型器具に、前記テーパ状ポールに対する位置を一定にする位置設定手段としての重錘とその確認部を設け、前記鉛直確認線を記入するための目印は、Ｌ型器具に設けられた目盛りであり、前記一対のＬ型器具は、前記テーパ状ポールを挟着する正方形の開口を任意の大きさに形成可能に設けられたことを特徴とする請求項２記載のテーパ状ポールの鉛直確認線記入治具。
【請求項５】
前記テーパ状ポールに対する位置を一定にする位置設定手段は、両端面が貫通状態に開口している一対の四角錐台状の挿通空間を有する箱状器具であり、一本の直材に前記箱状器具を設け、前記箱状器具に開閉可能な蓋を設け前記テーパ状ポールに嵌合可能とし、前記四角錐台状の挿通空間を形成する側板の一端面に、それぞれ前記鉛直確認線を記入するための目印である鉛直確認マークを設けたことを特徴とする請求項２記載のテーパ状ポールの鉛直確認線記入治具。
【発明の詳細な説明】
【技術分野】
【０００１】
この発明は、街灯や道路照明などに使用するテーパ状ポールの立設状態を確認するための鉛直確認線記入方法と鉛直確認線記入治具に関する。
【背景技術】
【０００２】
従来、街灯や道路照明などに使用されているポールには、ポール形状が円柱状で直管状のポールと、地面に埋設される基端部側に行くに従い太くなっているテーパ状のポールとがある。さらに、ポールの先端側は、取り付けた街灯や照明器具が、路面を照らし出しやすいように曲管になっているものがある。曲管部を備えたテーパ状ポールを設置する方法は、先ず、ポールを立てるために、このポールの外径よりもわずかに太い内径の穴が開口した基礎を道路路肩等の設置箇所地面に設け、その基礎の穴にポール下端部を挿入する。この状態で、挿入されたポールと基礎の隙間にクサビを挟入し、ポールを仮固定し、ポールが鉛直方向に立設され、曲管部が道路方向に対して直角に向くように調整・確認した後、コンクリートを隙間に流し込み、ポールを固定する。このとき、仮固定の状態で、立設したポールが道路に対して鉛直方向に立っていることを確認する方法としては、トランシットを用いた目視により、ポールの傾きを確認している。
【０００３】
そのほか、ポール立設にあたり、鉛直方向の調整には特許文献１にあるように、クサビの代わりに、調整治具を使用して傾きを調整する方法もある。また、特許文献２に開示されているように、ポールを１人で立設可能とする器具も提案されている。
【特許文献１】特公平７−２１２６１号公報
【特許文献２】特開２００１−１７７９３５号公報
【発明の開示】
【発明が解決しようとする課題】
【０００４】
上記従来のテーパ状のポールの鉛直確認方法では、トランシットを用いる場合、立設したテーパ状ポールを、目測による目安により鉛直方向を確認するため、鉛直状態の確認が正確ではなく、確認する作業員の熟練度により個人差が発生するものであった。また、特許文献１、２でも、ポール立設にあたり、鉛直状態を確認するための効果的な方法や治具は記載されていない。
【０００５】
この発明は、上記従来の技術に鑑みて成されたもので、テーパ状ポールを鉛直方向に立設するための鉛直確認線を、容易かつ正確に記すことができるテーパ状ポールの鉛直確認線記入方法と鉛直確認線記入治具を提供することを目的とする。
【課題を解決するための手段】
【０００６】
この発明は、側面がテーパ状に形成されたテーパ状ポールの立設状態を確認する鉛直確認線記入方法であって、前記テーパ状ポールの位置を一定に固定した状態で、鉛直確認線記入治具を用いて鉛直確認線を前記テーパ状ポールの側面に記し、前記テーパ状ポールに対して前記鉛直確認線記入治具の位置関係を一定にして、前記テーパ状ポールの側面の他の位置に、前記鉛直確認線と直線上に位置した他の鉛直確認線を描くテーパ状ポールの鉛直確認線記入方法である。
【０００７】
またこの発明は、側面がテーパ状に形成されたテーパ状ポールの立設状態を確認するための鉛直確認線を記入する治具であって、前記テーパ状ポールに対する位置を一定にする位置設定手段と、前記テーパ状ポールが挿通される挟着孔と、鉛直確認線を記入するための目印とを備え、前記テーパ状ポールに対して前記位置設定手段により位置関係を一定にして、前記テーパ状ポールの側面の他の位置にも、前記鉛直確認線と直線上に位置した他の鉛直確認線を描くことができるようにしたテーパ状ポールの鉛直確認線記入治具である。
【０００８】
前記テーパ状ポールに対する位置を一定にする位置設定手段は、前記鉛直確認線記入治具に設けられた重錘とこの重錘の位置の確認部である穴等の印であり、前記鉛直確認線を記入するための目印は、前記挟着孔が形成された板体に設けられ互いに直角に位置した直交線であり、前記板体は分割可能に設けられている。
【０００９】
また、前記鉛直確認線記入治具は、一対のＬ型器具を互いに直交するように配置し、一方のＬ型器具に、前記テーパ状ポールに対する位置を一定にする位置設定手段としての重錘とその確認部を設け、前記鉛直確認線を記入するための目印は、Ｌ型器具に設けられた目盛りであり、前記一対のＬ型器具は、前記テーパ状ポールを挟着する正方形の開口を任意の大きさに形成可能に設けられたものである。
【００１０】
また、前記テーパ状ポールに対する位置を一定にする位置設定手段は、両端面が貫通状態に開口している一対の四角錐台状の挿通空間を有する箱状器具であり、一本の直材に前記箱状器具を設け、前記箱状器具に開閉可能な蓋を設け前記テーパ状ポールに嵌合可能とし、前記四角錐台状の挿通空間を形成する側板の一端面に、それぞれ前記鉛直確認線を記入するための目印である鉛直確認マークを設けたものである。
【発明の効果】
【００１１】
この発明のテーパ状ポールの鉛直確認線記入方法と鉛直確認線記入治具によれば、テーパ状ポールの設置における鉛直方向の確認において、治具を用いることにより、容易に鉛直方向の確認線を正確に描くことが出来、鉛直方向の確認も正確に行うことが出来る。さらに、鉛直確認において、曖昧さが無くなり個人差もでない。また、作業員の熟練が不要であり、小数の作業員で効率良く鉛直確認線を記すことができ、確認作業も容易である。
【発明を実施するための最良の形態】
【００１２】
以下、この発明のテーパ状ポールの鉛直確認線記入方法と鉛直確認線記入治具の実施形態について説明する。図１〜図３はこの発明の第一実施形態を示すもので、この実施形態のテーパ状ポール２の鉛直確認線記入方法と鉛直確認線記入治具は、街灯や道路照明に使用されるテーパ状ポール２を、道路路肩が傾斜していても鉛直状態に正確に立てられていることを確認するためのものである。
【００１３】
この実施形態のテーパ状ポール２は、図３に示すように道路６などの路肩８に設置される街灯１０などに使用される。このテーパ状ポール２は金属製で、テーパ状ポール２の基礎側はテーパ状に太くなる直線状であり、一方の先端側はテーパ状に細くなり、先端部が曲管を形成している。そして、曲管端部先端に照明機器１２を備えている。
【００１４】
テーパ状ポール２には、図３に示すように、その側面上に適宜な間隔を開けて長手方向に複数カ所に亘って鉛直確認線５が設けられている。鉛直確認線５は、テーパ状ポール２の長手方向中心軸に対して直交する任意の仮想の水平断面に対して直角に交わる一対の仮想の鉛直方向断面であって、上記水平断面の中心点で互いに直交する任意の鉛直方向断面上で、テーパ状ポール２の側面が各鉛直方向断面と交わる仮想の各側面直線３４上に形成されている。即ち、側面直線３４は、テーパ状ポール２の側面とテーパ状ポール２の中心軸を含む平面とが交わる箇所の線である。
【００１５】
次に、テーパ状ポール２に、鉛直確認線５を記入するための鉛直確認線記入治具１４について説明する。鉛直確認線記入治具１４は、図２に示すように、連結部１６により互いに嵌合して連結され２分割可能で、適度な厚みを持つ木材、樹脂または金属の板体１８から成る。この板体１８は正方形に形成され、その中央部にはポール２を挟着可能な挟着孔２０が貫通状態に開口している。さらに、板体１８の対角線上に位置する一つの角部近傍には、螺子２２が螺着されており、その螺子２２により鉛直確認紐２４の端部が固定されている。この鉛直確認紐２４は、板１８の幅より適度に長く、鉛直確認紐２４の先には重錘２６が吊着してある。螺子２２を螺着した角部から、連結部１６をはさんだ隣で角部近傍の対角線上には、螺子２２の頭部程度の大きさの鉛直確認孔２８が、板体１８の反対面まで貫通して直線状に開口している。鉛直確認孔２８は重錘の位置の確認部であり、この板体１８を、螺子２２と鉛直確認孔２８を結ぶ線が鉛直方向になるように立てると、ちょうど、螺子２２で固定した鉛直確認紐２４が、鉛直確認孔２８の上中央を横切る。また、板体１８の表面の対角線上と板体１８の各辺の中心点を結ぶ直線上には、互いに直交する直交線３０，３２が描かれている。この直交線３０，３２は、鉛直確認線５を記入するための目印である。
【００１６】
この実施形態の確認線記入治具１４による鉛直確認線記入方法は、図１に示すように、まず、鉛直確認線５を描くテーパ状ポール２を支持台３６の中央に横倒し状態で載せる。すると、テーパ状ポール２の曲管箇所の重さにより、曲管箇所が下側に位置する状態に支持台３６上を転がり、曲管末口３８部分が鉛直下方を向く。そして、テーパ状ポール２を図示しない留め具で動かないように固定し、鉛直確認線記入治具１４を、テーパ状ポール２の曲管箇所でない適宜な位置に取り付ける。取り付けは、一旦２分割した鉛直確認線記入治具１４を、テーパ状ポール２を挟着孔２０で挟み込むように連結部１６により挟着する。この際、鉛直確認線記入治具１４の挟着孔２０の内側面が、テーパ状ポール２の側周部に密着する状態にする。さらに、鉛直確認紐２４が鉛直状態で、鉛直確認孔２８の上部中央を横切る状態に鉛直確認線記入治具１４を回動させて向きを調節する。そして、鉛直確認線記入治具１４の直交線３０がポール側面に接する位置に印を記入する。この印を、テーパ状ポール２の側面直線３４上に位置する２点にそれぞれ記入し、その印上にさらにくっきりと鉛直確認線５を描く。鉛直確認線５は、互いに水平方向に９０°回動した位置に各々形成し、これらをテーパ状ポール２の長手方向に少なくとも２箇所に各々設ける。
【００１７】
次に、この実施形態のテーパ状ポール２の鉛直確認方法について説明する。鉛直確認線５が描かれたテーパ状ポール２を、図３に示すように道路６の路肩８の傾斜にかかわらずほぼ鉛直に立設する。次に、立設したテーパ状ポール２から適宜離れ、テーパ状ポール２の中心に対して互いに直角に位置するとともに、テーパ状ポール２の側面上で直角に位置する２箇所の鉛直確認線５の延長線４０ａ，４０ｂ上の２地点を設定する。この地点は、それぞれの延長線４０ａ，４０ｂと交差する路肩６の縁石４との間で形成される角度が４５°をなす。この位置で、トランシットなどにより鉛直確認線５が鉛直方向に直線上に位置するようにテーパ状ポール２を調整し、固定する。
【００１８】
この実施形態のテーパ状ポール２の鉛直確認線記入方法と鉛直確認線記入治具によれば、現場で容易に鉛直確認線５の記入加工ができ、テーパ状ポール２の事前の加工が不要であり、大がかりな設備もいらないものである。また、この実施形態により鉛直確認線５を記入したテーパ状ポール２は、トランシットを用いて簡単に正確に鉛直方向に設置し固定することができる。また、テーパ状ポール２の曲管箇所が、道路６の路肩８の傾斜にかかわらず、正確に鉛直方向を向いているか否かも容易に確認できる。
【００１９】
次に、この発明のテーパ状ポールの鉛直確認線記入方法と鉛直確認線記入治具の第二実施形態について、図４を基にして説明する。図４に示す鉛直確認線記入治具４２は、２つの金属製のＬ型器具４４を用いて、Ｌ型器具４４の内側縁により正方形を形成するものである。Ｌ型器具４４は、中心部に長手方向に沿ってＬ型器具４４の直線部分の長さに近い長さの溝５０ａ，５０ｂ，５０ｃ，５０ｄが各々形成され、この溝５０ａ，５０ｂ，５０ｃ，５０ｄに摺動駒４６ａ，４６ｂが嵌合している。各摺動駒４６ａ，４６ｂは、各溝５０ａ，５０ｂ，５０ｃ，５０ｄの幅よりも僅かに小さい直径の胴部と、その両端にハトメ等で固定され、溝５０ａ，５０ｂ，５０ｃ，５０ｄの幅よりも広いつば部とから成る。摺動駒４６ａ，４６ｂは、中央に貫通穴４８が設けられている。摺動駒４６ａ，４６ｂは、それぞれのＬ型器具４４の長手方向の溝５０ａ，５０ｂ，５０ｃ，５０ｄに嵌合し、摺動可能に取り付けられている。また、内側表面には、鉛直確認線を記入するための目印である目盛り５２が、長手方向に設けられている。
【００２０】
さらに、Ｌ型器具４４の一方は、一端部が開放部５４を形成して溝５０ａが設けられ、この溝５０ａと直交して閉じた溝５０ｂが設けられている。Ｌ型器具４４の他の溝５０ｃは閉じた形状に設けられ、摺動駒４６ａのつば部とほぼ等しく摺動駒４６ａが通過可能な大きさの挿通穴５６がその溝終端に設けられ、他方の溝５０ｄは、閉じた形状に形成されている。
【００２１】
溝５０ｂが形成されたＬ型器具４４には、重錘２６を吊り下げて鉛直確認紐２４を吊着する吊着凹部５８を設けた重錘取付部６０と、鉛直確認紐２４が中央を横切る鉛直確認孔６２とを備える。鉛直確認孔６２は、重錘の位置の確認部である。
【００２２】
また、重錘取付部６０近傍の角部には、ワイヤ６４の一端部を止着した固定部６６を備える。ワイヤ６４は固定部６６から２方向に向かい、各々の摺動駒４６ａ，４６ｂの貫通穴４８に挿通されている。そして、各ワイヤ６４の端部には、各々フック片６８がカシメにて取付けられ、各Ｌ型器具４４の一端部の係止凸部７０に係合している。
【００２３】
一対のＬ型器具４４は、図４に示すように、互いに対向させて正方形の開口を形成するもので、摺動駒４６ｂは、予め溝５０ｂ，５０ｄに嵌合してつば部が固定され、取り外し不能に設けられている。また、他方の摺動駒４６ａは、解放部５４を経て溝５０ａから外れ、挿通穴５６を通過させて溝５０ｃからも取り外し可能に設けられている。
【００２４】
この実施形態の鉛直確認線記入治具４２の使用方法は、まず、取り外し可能な摺動駒４６ａを外して、一対のＬ型器具４４を開き、テーパ状ポール２に挟着し、再び摺動駒４６ａを取り付けて嵌合する。このときワイヤ６４の先端のフック片６８は各々係止凸部７０に係合させる。この後、一対の鉛直確認線記入治具４４を互いに近づけるように移動させ、テーパ状ポール２の側面に各Ｌ型器具４４の内側側縁を当接させる。このときの各Ｌ型器具４４の動きは、ワイヤ６４の一端部が固定部６６に固定され、他端部はフック片６８により係止凸部７０に固定されているので、各Ｌ型器具４４による正方形の開口は、常に正方形を維持する。そして、鉛直確認紐２４が鉛直確認孔６２の中央を通過する状態に、Ｌ型器具４４をテーパ状ポール２の側面で回動させる。
【００２５】
次に、各Ｌ型器具４４の内側とテーパ状ポール２の側面の接点４カ所に、鉛直確認の印を記す。さらに、この印の間の中点を測り、互いに直交する２地点に鉛直確認線を描く。この作業を、テーパ状ポール２の長手方向に２箇所で行う。この鉛直確認線は、テーパ状ポール２の側面の適宜に離れた位置で、テーパ状ポール２の側面で各々側面直線上に位置する。
【００２６】
この実施形態の鉛直確認線記入治具４２は、テーパ状ポール２の太さに合わせて適宜の位置で調節可能であるため、鉛直確認線を記す位置を選ばず、各種の太さのポールにも使用が可能である。さらに、鉛直確認線を描く際に、図４の治具を用いる場合は、１つの鉛直確認線記入治具４２により、複数カ所に鉛直確認の印を記すことができ、治具を多数揃える必要がない。
【００２７】
次に、この発明のテーパ状ポールの鉛直確認線記入方法と鉛直確認線記入治具の第三実施形態について、図５〜図７を基にして説明する。この鉛直確認線記入治具７２は、図６に示すような木材、樹脂または金属製の箱状器具７４を備える。この箱状器具７４は、四角錐台状に側面が形成され両端面７６，７８に開口部８０を有した挿通空間から成る。箱状器具７４は、箱部の一側面８２の外側に、貫通穴８４を備えた貫通摺動部８６を備える。また、貫通摺動部８６を備える側面８２の反対側の箱部は、蓋部８８となっており、蝶番９０により開閉可能になっている。さらに、四角錐台側面の傾斜はテーパ状ポール２のテーパ傾斜と同じ斜度に形成されており、四角錐台の４つの側板端部中央には、それぞれ鉛直確認マーク９２が設けられている。そして、この箱状器具７４を、図５に示すように、側面に摺動制限部９４を備えた一本の直材９６に、貫通摺動部８６を嵌合し、所定の間隔をあけて同じ向きで摺動可能に位置させ、鉛直確認線記入治具７２を構成する。図５では、箱状器具７４を一対設けて鉛直確認線記入治具７２としている。一対の箱状器具７４の大きさは、図７に示すように、四角錐台状の貫通空間がテーパ状ポール２の斜面に沿ったものであり、一対の箱状器具７４の大きさは、テーパ状ポール２の太さと傾斜角、一対の箱状器具７４間の距離、及び取り付け位置により決定される。
【００２８】
この鉛直確認線記入治具７２は、図７に示すように、直材９６をテーパ状ポール２の側面に当接させ、その側面に対して平行になるように、一対の箱状器具７４を挟着する。これにより、テーパ状ポール２のテーパの斜度に合わせて、一対の箱状器具７４が位置する。このとき、四角錐台状の貫通空間を有した一対の箱状器具７４の各端面７６とポールの中心軸ａが直交し、直材９６のからの鉛直線９８と箱状器具７４の端面７６が交差する角θは、テーパ状ポール２の斜度に一致する。
【００２９】
この鉛直確認線記入治具７２の使用方法は、まず、一対の箱状器具７４の各上蓋面８８を開けて、立設するテーパ状ポール２に挟着し、各箱状器具７４の上蓋面８８を閉めて、鉛直確認線記入治具７２をテーパ状ポール２に取り付ける。次に、各箱状器具７４を摺動して、テーパ状ポール２の側面と箱の内面を線接触状態にする。そして、鉛直確認マーク９２に沿って、ポール側面に鉛直確認の印を記す。次に、鉛直確認線記入治具７２をポールから取り外し、ポール側面の上記印の中点に鉛直確認線５を描き、さらに長手方向の直線上に位置する他方の鉛直確認線を描く。立設したテーパ状ポール２に鉛直確認線５を描くには、電柱工事など用いるバケット車などを使用するとよい。
【００３０】
この実施形態の鉛直確認線記入治具７２によれば、箱状器具７４が直材９６により、直線上に位置決めされ、箱状器具７４によりテーパ状ポール２に固定的に取り付けすることが出来るため、立設した状態でも、簡単に鉛直確認線を描くことができる。
【００３１】
なお、この発明の鉛直確認線記入方法と鉛直確認線記入治具は上記実施形態に限定されるものではなく、図２に示す鉛直確認線記入治具の２分割する連結部は、分割してポールを挟着できればよいため、分割線及び形状は適時選択可能である。また、図２の鉛直確認線記入治具の鉛直確認孔の代わりに、板の辺に平行な鉛直確認線を描き、鉛直確認紐と一致することにより鉛直確認を行ってもよい。
【図面の簡単な説明】
【００３２】
【図１】この発明の第一実施形態の鉛直確認線記入治具による鉛直確認線記入作業を示す概略斜視図である。
【図２】この実施形態の鉛直確認線記入治具を示す概略斜視図である。
【図３】この実施形態のテーパ状ポールの鉛直確認方法を示す概略斜視図である。
【図４】この発明の第二実施形態の鉛直確認線記入治具を示す正面図である。
【図５】この発明の第三実施形態の鉛直確認線記入治具を示す概略斜視図である。
【図６】この実施形態の鉛直確認線記入治具の箱状器具を示す概略斜視図である。
【図７】この実施形態の鉛直確認線記入治具の幾何学的位置関係の概要を示す模式図である。
【符号の説明】
【００３３】
２  テーパ状ポール
５  鉛直確認線
１４  鉛直確認線記入治具
１８  板体
２０  挟着孔
２４  鉛直確認紐
２６  重錘
２８  鉛直確認孔
３４  側面直線
３６  支持台
３８  曲管末口
【図１】
2006071578.tif 000003
【図２】
2006071578.tif 000004
【図３】
2006071578.tif 000005
【図４】
2006071578.tif 000006
【図５】
2006071578.tif 000007
【図６】
2006071578.tif 000008
【図７】
2006071578.tif 000009